(57)【特許請求の範囲】
【請求項１】
ハウジング（Ｑ）の一端に光入力側（Ｂ）があり、他端に光出力側（Ｃ）があり、光入力側（Ｂ）と光出力側（Ｃ）が光入力側（Ｂ）から入力された光を光出力側（Ｃ）に案内する通路（Ｄ）で連通され、ハウジング（Ｑ）の入力側外周面と出力側外周面に嵌合溝（Ｇ）があり、光入力側（Ｂ）の嵌合溝（Ｇ）は入力側上面に形成された上面嵌合溝（Ｊ）と入力側両側面に形成された二つの側面嵌合溝（Ｉ）との三つの嵌合溝が入力側上面から入力側側面に連続して形成され、光出力側（Ｃ）の嵌合溝（Ｇ）は出力側上面に形成された上面嵌合溝（Ｊ）と出力側両側面に形成された二つの側面嵌合溝（Ｉ）との三つの嵌合溝が出力側上面から出力側側面に連続して形成され、光機器に接続される光入力側（Ｂ）の抜けを防止する規制体（Ｈ）が、光入力側（Ｂ）の上面嵌合溝（Ｊ）と二つの側面嵌合溝（Ｉ）に嵌合されており、前記ハウジング（Ｑ）の形状が異なるメーカー間で規格化されている光アダプタ（Ａ）において、
前記光アダプタ（Ａ）の光出力側（Ｂ）の上面嵌合溝（Ｊ）から二つの側面嵌合溝（Ｉ）までアダプタ用遮光具（２０）が被せられ、
前記アダプタ用遮光具（２０）は前記光出力側（Ｃ）の上面嵌合溝（Ｊ）に係止する上面係止板（４）と前記両側面嵌合溝（Ｉ）に係止する二つの側面係止板（５）が一連に形成された係止部（１）と、前記上面係止板（４）が上面嵌合溝（Ｊ）に嵌合され二つの側面係止板（５）が両側面嵌合溝（Ｉ）に嵌合されると前記光アダプタ（Ａ）の光出力側（Ｃ）の上面嵌合溝（Ｊ）より一段高い上面（Ｆ）の上に被さる取り付け板（６）と、前記取り付け板（６）が前記上面（Ｆ）の上に被さると光出力側（Ｃ）の開口部の前面を閉じる遮光板（２）とを備え、
前記遮光板（２）は遮光板（２）の下端（１０）側を持ち上げている間のみ光出力側（Ｃ）の開口部を開口し、前記下端（１０）側の持ち上げを開放すると遮光板（２）が元の位置に復帰して前記開口部が自動的に閉じるように、前記取り付け板（６）に回転軸（８）により開閉可能に取り付けられている、
ことを特徴とする遮光具付き光アダプタ。
【請求項２】
請求項１記載の遮光具付き光アダプタにおいて、アダプタ用遮光具（２０）の遮光板（２）が光出力側（Ｃ）の開口部を強制的に閉じることができるように付勢されていることを特徴とする遮光具付き光アダプタ。
【請求項３】
ハウジング（Ｑ）の一端に光入力側（Ｂ）があり、他端に光出力側（Ｃ）があり、光入力側（Ｂ）と光出力側（Ｃ）が光入力側（Ｂ）から入力された光を光出力側（Ｃ）に案内する通路（Ｄ）で連通され、ハウジング（Ｑ）の入力側外周面と出力側外周面に嵌合溝（Ｇ）があり、光入力側（Ｂ）の嵌合溝（Ｇ）は入力側上面に形成された上面嵌合溝（Ｊ）と入力側両側面に形成された二つの側面嵌合溝（Ｉ）との三つの嵌合溝が入力側上面から入力側側面に連続して形成され、光出力側（Ｃ）の嵌合溝（Ｇ）は出力側上面に形成された上面嵌合溝（Ｊ）と出力側両側面に形成された二つの側面嵌合溝（Ｉ）との三つの嵌合溝が出力側上面から出力側側面に連続して形成され、光機器に接続される光入力側（Ｂ）の抜けを防止する規制体（Ｈ）が、光入力側（Ｂ）の上面嵌合溝（Ｊ）と二つの側面嵌合溝（Ｉ）に嵌合されており、前記ハウジング（Ｑ）の形状が異なるメーカー間で規格化されている光アダプタ（Ａ）に取り付ける光アダプタ用遮光具（２０）であり、
前記光アダプタ用遮光具（２０）は、係止部（１）と、係止部（１）の先方に連接された取り付け板（６）と、取り付け板（６）の先方に取り付けられた遮光板（２）を備え、
前記係止部（１）は、前記光出力側（Ｂ）の上面嵌合溝（Ｊ）に係止する上面係止板（４）と前記両側面嵌合溝（Ｉ）に係止する二つの側面係止板（５）が一連に形成され、
前記取り付け板（６）は、前記上面係止板（４）を上面嵌合溝（Ｊ）に嵌合し、二つの側面係止板（５）を両側面嵌合溝（Ｉ）に嵌合すると、前記光アダプタ（Ａ）の光出力側（Ｃ）の上面嵌合溝（Ｊ）より一段高い上面（Ｆ）の上に被さるように、上面係止板（４）よりも一段高く形成され、
前記遮光板（２）は、前記取り付け板（６）を前記上面（Ｆ）の上に被せると光出力側（Ｃ）の開口部の前面を閉じるように取り付け板（６）の下方に設けられ、
前記遮光板（２）は遮光板（２）の下端（１０）側を持ち上げている間のみ光出力側（Ｃ）の開口部を開口し、前記下端（１０）側の持ち上げを開放すると遮光板（２）が元の位置に復帰して前記開口部が自動的に閉じるように、前記取り付け板（６）に回転軸（８）により開閉可能に取り付けられていることを特徴とする光アダプタ用遮光具。
【請求項４】
請求項３記載の光アダプタ用遮光具において、遮光板（２）が光アダプタ（Ａ）の光出力側（Ｃ）の開口部を強制的に閉じることができるように付勢されていることを特徴とする光アダプタ用遮光具。
【発明の詳細な説明】
【０００１】
【発明の属する技術分野】
本発明は光機器（光アダプタ）の光出力側を開閉する光アダプタ用遮光具を備えた遮光具付き光アダプタと、光アダプタ用遮光具に関するものである。
【０００２】
【従来の技術】
従来の光機器（例えば光アダプタ）Ａは、図３に示す様に一端を入力側Ｂ、他端を出力側Ｃとし、且つ図４（ａ）、（ｂ）に示す様に内部に前記入力側Ｂから入力された光を前記出力側Ｃに案内する通路Ｄを形成してなるものであり、例えば入力側Ｂを他の光機器の出力端（図示しない）に接続し、出力側Ｃに光ケーブルの一端（図示しない）を接続することによって、当該光機器に光ケーブルを接続したり、更に、この光ケーブルの他端を別の光機器に接続して、２つの光機器同士を光ケーブルを介して接続したりすることができるようにしてある。
【０００３】
図３に示す様に前記光アダプタＡの入力側Ｂの外周面のうち、両側面Ｅ及び上面Ｆには嵌合溝Ｇが形成され、この嵌合溝Ｇには光機器の出力端等に接続された当該入力側Ｂの抜けを防止するための規制体Ｈが嵌合されている。前記嵌合溝Ｇは図３に示す様に入力側Ｂの両側面Ｅに形成された側面嵌合溝Ｉと、両側面嵌合溝Ｉを連結する上面嵌合溝Ｊとからなる。前記規制体Ｈは図３に示す様に前記側面嵌合溝Ｉに嵌合可能な側面嵌合板Ｋと、前記上面嵌合溝Ｊに嵌合可能な上面嵌合板Ｌとからなり、上面嵌合板Ｌの両端に側面嵌合板Ｋを夫々形成すると共に、両側面嵌合板Ｋを下方に９０度折り曲げて、前記嵌合溝Ｇに上方から嵌合可能な形状に形成してある。更に、規制体Ｈの両側面嵌合板Ｋの中央部を板バネ状のストッパーＭとして、入力側Ｂを光機器の入力端又は出力端に挿入すると、前記ストッパーＭが入力端又は出力端の内面に係止して、入力側Ｂの抜けが防止されるようにしてある。また、図３に示す様に前記入力側Ｂと出力側Ｃとの間には止め板Ｎが突設されており、入力側Ｂを光機器の入力端又は出力端に挿入する際に、必要以上に同入力側Ｂが挿入されない様にしてある。尚、止め板Ｎの中央の通孔Ｏは、光機器に接続された入力側Ｂを、同光機器に固定する必要があるときに、固定用の螺子を挿入するためのものである。
【０００４】
出力側Ｃは図３に示す様に上記入力側Ｂと同一形状であり、外周面には前記嵌合溝Ｇと同一形状の嵌合溝Ｇが形成されている。但し、この嵌合溝Ｇには前記規制体Ｈは取り付けられておらず空き状態となっている。以上の様な光アダプタＡの形状は、規格化されている光機器の入力端又は出力端等に適応する様に、同じく規格化されており、製造メーカーが異なってもその形状が異なることがないようにしてある。
【０００５】
従来は入力側Ｂが光機器の出力端に接続された光アダプタＡの出力側Ｃに光ケーブル等を接続する際に、同出力側Ｃから出る光によって作業者が怪我（失明等）をする危険があるため、光アダプタＡが取付けられる光機器の出力端に遮光用のシャッター（図示しない）を設け、接続作業が終了するまで光アダプタＡに光が入光しないようにしている。しかし、光機器の構造が複雑になるに従って、光機器の出力端に遮光用のシャッターを設けることが技術的に困難となってきた。また、光機器に遮光用のシャッターを設けることは光機器の構造を複雑にし、小型化を阻む一因ともなっている。
【０００６】
そこで、上記問題を解決するために、図５（ａ）、（ｂ）に示す光アダプタが既に開発されている。この光アダプタも同図に示す様に一端が入力側Ｂ、他端が出力側Ｃとされ、出力側Ｃに同出力側Ｃを開閉可能な遮光板Ｐを設け、同遮光板Ｐを開けない限り光が出力されないようにしたものである。尚、図３に示す光アダプタＡと同様に入力側Ｂと出力側Ｃとの間には止め板Ｎが突設されており、入力側Ｂには規制体Ｈが取り付けられている。
【０００７】
【発明が解決しようとする課題】
図５（ａ）、（ｂ）に示す光アダプタＡは出力側Ｃに遮光板Ｐを設けることによって、光機器に遮光用のシャッターを設ける必要をなくすものであり、その点では有用なものであるが、次の様な課題がある。
１．形状が規格外のため、接続可能な光機器や光ケーブルの種類が限られる。
２．接続可能な光機器や光ケーブルの種類が限られているため需要が少なく、大量生産によるコストダウンが図れないため、製品価格が高くなる。
３．既に、図３に示す規格化された光アダプタが数多く使用されているため、それら全てを図５に示す光アダプタに取り替えると、現在使用されている図３に示す光アダプタが全て無駄になる。
【０００８】
【課題を解決するための手段】
本発明の目的は上記諸問題を解決するため、現在使用されている光機器（光アダプタ）に光アダプタ用遮光具を後付けした遮光具付き光アダプタと、光アダプタに後付けすることができる光機器（光アダプタ）用遮光具を提供することにある。
【０００９】
本件出願の遮光具付き光アダプタは、請求項１記載のように、ハウジングＱの一端に光入力側Ｂがあり、他端に光出力側Ｃがあり、光入力側Ｂと光出力側Ｃが光入力側Ｂから入力された光を光出力側Ｃに案内する通路Ｄで連通され、ハウジングＱの入力側外周面と出力側外周面に嵌合溝Ｇがあり、光入力側Ｂの嵌合溝Ｇは入力側上面に形成された上面嵌合溝Ｊと入力側両側面に形成された二つの側面嵌合溝Ｉとの三つの嵌合溝が入力側上面から入力側側面に連続して形成され、光出力側Ｃの嵌合溝Ｇは出力側上面に形成された上面嵌合溝Ｊと出力側両側面に形成された二つの側面嵌合溝Ｉとの三つの嵌合溝が出力側上面から出力側側面に連続して形成され、光入力側Ｂの抜けを防止する規制体Ｈが、光入力側Ｂの上面嵌合溝Ｊと二つの側面嵌合溝Ｉに嵌合されており、前記ハウジングＱの形状が異なるメーカー間で規格化されている光アダプタＡにおいて、前記光アダプタＡの光出力側Ｂの上面嵌合溝Ｊから二つの側面嵌合溝Ｉまでアダプタ用遮光具２０が被せられ、前記アダプタ用遮光具２０は前記光出力側Ｃの上面嵌合溝Ｊに係止する上面係止板４と前記両側面嵌合溝Ｉに係止する二つの側面係止板５が一連に形成された係止部１と、前記上面係止板４が上面嵌合溝Ｊに嵌合され二つの側面係止板５が両側面嵌合溝Ｉに嵌合されると前記光アダプタＡの光出力側Ｃの上面嵌合溝Ｊより一段高い上面Ｆの上に被さる取り付け板６と、前記取り付け板６が前記上面Ｆの上に被さると光出力側Ｃの開口部の前面を閉じる遮光板２とを備え、前記遮光板２は遮光板２の下端１０側を持ち上げている間のみ光出力側Ｃの開口部を開口し、前記持ち上げを開放すると遮光板２が元の位置に復帰して前記開口部が自動的に閉じるように、前記取り付け板６に回転軸８により開閉可能に取り付けられていることを特徴とする。
【００１０】
本件出願の請求項２記載の遮光具付き光アダプタは、請求項１記載の遮光具付き光アダプタにおいて、アダプタ用遮光具２０の遮光板２が光出力側Ｃの開口部を強制的に閉じることができるように付勢されていることを特徴とする。
【００１１】
本件出願の請求項３記載の光アダプタ用遮光具は、ハウジングＱの一端に光入力側Ｂがあり、他端に光出力側Ｃがあり、光入力側Ｂと光出力側Ｃが光入力側Ｂから入力された光を光出力側Ｃに案内する通路Ｄで連通され、ハウジングＱの入力側外周面と出力側外周面に嵌合溝Ｇがあり、光入力側Ｂの嵌合溝Ｇは入力側上面に形成された上面嵌合溝Ｊと入力側両側面に形成された二つの側面嵌合溝Ｉとの三つの嵌合溝が入力側上面から入力側側面に連続して形成され、光出力側Ｃの嵌合溝Ｇは出力側上面に形成された上面嵌合溝Ｊと出力側両側面に形成された二つの側面嵌合溝Ｉとの三つの嵌合溝が出力側上面から出力側側面に連続して形成され、光入力側Ｂの抜けを防止する規制体Ｈが、光入力側Ｂの上面嵌合溝Ｊと二つの側面嵌合溝Ｉに嵌合されており、前記ハウジングＱの形状が異なるメーカー間で規格化されている光アダプタＡに取り付ける光アダプタ用遮光具２０であり、前記光アダプタ用遮光具２０は、係止部１と、係止部１の先方に連接された取り付け板６と、取り付け板６の先方に取り付けられた遮光板２を備え、前記係止部１は、前記光出力側Ｂの上面嵌合溝Ｊに係止する上面係止板４と前記両側面嵌合溝Ｉに係止する二つの側面係止板５が一連に形成され、前記取り付け板６は、前記上面係止板４を上面嵌合溝Ｊに嵌合し、二つの側面係止板５を両側面嵌合溝Ｉに嵌合すると、前記光アダプタＡの光出力側Ｃの上面嵌合溝Ｊより一段高い上面Ｆの上に被さるように、上面係止板４よりも一段高く形成され、前記遮光板２は、前記取り付け板６を前記上面Ｆの上に被せると光出力側Ｃの開口部の前面を閉じるように取り付け板６の下方に設けられ、前記遮光板２は遮光板２の下端１０側を持ち上げている間のみ光出力側Ｃの開口部を開口し、前記持ち上げを開放すると遮光板２が元の位置に復帰して前記開口部が自動的に閉じるように、前記取り付け板６に回転軸８により開閉可能に取り付けられていることを特徴とする。
【００１２】
本件出願の請求項４記載の光アダプタ用遮光具は、請求項３記載の光アダプタ用遮光具において、遮光板２が光アダプタＡの光出力側Ｃの開口部を強制的に閉じることができるように付勢されていることを特徴とする。
【００１３】
【００１４】
【００１５】
【発明の実施の形態】
（実施の形態１）
本発明の光アダプタ用遮光具の実施形態の一例を図１（ａ）、（ｂ）に基づいて詳細に説明する。尚、本実施例は光機器Ａが光アダプタの場合のものである。図１に示す本発明の光機器用遮光具は既存の光アダプタＡの外周面に係止可能な係止部１と、係止部１に回動可能に取り付けられた遮光板２とからなる。
【００１６】
前記係止部１は図１（ａ）に示す様に図３に示す光アダプタＡの光出力側Ｃの嵌合溝Ｇに嵌合係止可能としたものである。具体的には図１に示す様に規制体Ｈの上面嵌合板Ｌ（図３）と同一形状の上面係止板４の両端に、前記規制体Ｈの側面嵌合板Ｋ（図３）と同一形状の側面係止板５を夫々形成すると共に、両側面係止板５を下方に９０度折り曲げて、前記嵌合溝Ｇ（図３）に上方から嵌合可能な形状に形成してある。
【００１７】
図１（ａ）に示す様に前記上面係止板４の前方には取り付け板６が連設されている。この取り付け板６は、前記上面係止板４を前記上面嵌合溝Ｊ（図３）に嵌合した際に、光出力側Ｃの上面に隙間なく密着する様にするため、図１（ａ）に示す様に上面係止板４より上面嵌合溝Ｊの深さ分だけ高い位置に設けてある。また、同図に示す様に取り付け板６の先端両側は方形に切り欠いてある。これは後述する遮光板２の回動を妨げない様にするためである。
【００１８】
更に、図１（ａ）に示す様に前記取り付け板６の先端中央には軸受７が設けてあり、同軸受７には回転軸８が装着されている。前記遮光板２は、図１（ａ）に示す様に光出力側Ｃを閉塞可能な大きさの平板状であり、背面の上端両側に連結片９を対抗するように突設し、両連結片９を前記回転軸８の両端に夫々取り付けることによって、係止部１に図中の矢印方ａ−ｂ方向に回動可能なるように取り付けられている。また、図１（ｂ）に示す様に遮光板２は、その下端１０が光出力側Ｃよりも下方に突出する大きさとして、光出力側Ｃよりも下方に突出した下端１０に指を引っ掛けて遮光板２を図中の矢印ｂ方向に開けることができる様にしてある。更に、図１（ａ）に示す様に前記回転軸８にはコイルスプリング３が巻装されている。このコイルスプリング３は、一端が遮光板２の背面に、他端が取り付け板６の上面に当てがわれ、遮光板２を常時図中の矢印ａ方向（閉じる方向）に付勢する様にしてある。従って、図１（ｂ）に示す様に、光アダプタＡの光出力側Ｃの嵌合溝Ｇに、係止部１を嵌合係止させると、光出力側Ｃは常には遮光板２によって閉口され、遮光板２の下端１０に指を掛けて遮光板２を図中の矢印ｂ方向へ持ち上げている間のみ開口し、下端１０に掛けた指を放すとコイルスプリング３の復元力によって遮光板２が元の位置に復帰して、光出力側Ｃが自動的に閉口される。
【００１９】
（実施の形態２）
本発明の遮光具付き光アダプタの実施形態の一例を図２に基づいて説明する。この遮光具付き光アダプタは図２に示す様に、図３に示す従来の光アダプタＡと同一構造、同一形状の光アダプタＡに、前記図１（ａ）に示す本発明の光アダプタ用遮光具２０を取り付けてなるものである。
【００２０】
（他の実施の形態）
図１に示す本発明の光アダプタ用遮光具及び図２に示す本発明の光機器（アダプタ）では、係止部１の側面係止板５が側面嵌合溝Ｉより一回り小さく形成されているが、側面係止板５は側面嵌合溝Ｉに隙間なく嵌合する大きさとすることができる。また、側面係止板５の肉厚も側面嵌合溝Ｉの深さと同一として、側面係止板５を側面嵌合溝Ｋに嵌合すると、同側面係止板５の表面と光出力側Ｃの表面が面一となるようにすることもできる。以上のことは上面係止板４においても同様である。この様に両側面係止板５及び上面係止板４が、側面嵌合溝Ｉ及び上面嵌合溝Ｊに隙間なく嵌合する大きさとすると、係止部１のがたつきがなくなる。
【００２１】
図１に示す本発明の光アダプタ用遮光具及び図２に示す本発明の遮光具付き光アダプタでは、遮光板２をコイルスプリング３によって図１又は図２の矢印ａ方向に付勢するようにしたが、遮光板２の下端１０にウエイトを取り付け、このウエイトの重みによって遮光板２が矢印ａ方向に付勢されるようにすることもできる。
【００２２】
【発明の効果】
本件出願の遮光具付き光アダプタは、次のような効果を有する。
１．既存の光アダプタの外周面に係止可能な係止部に、光アダプタの出力側を開閉可能な遮光板と取付けてなるので、既存の光アダプタに後付けして、当該光アダプタを遮光具付きの光アダプタに変えることができる。従って、既に大量に出回っている従来の光アダプタを無駄にすることがない。
【００２３】
本件出願の遮光具付き光アダプタ及び光アダプタ用遮光具は、次のような効果を有する。
１．遮光板が常時閉じる方向に付勢されているので、その付勢に抗して遮光板を開けない限り、光アダプタの出力側から光が出ることがなく、安全性が高い。
【００２４】
本件出願の遮光具付き光アダプタは、次のような効果を有する。
１．前記本発明の光アダプタ用遮光具が予め取付けられているので、同遮光具を後つけすることなく前記効果を得ることができる。
【図面の簡単な説明】
【図１】  （ａ）は本発明の光アダプタ用遮光具の実施形態の一例を示す斜視図、（ｂ）は（ａ）に示す本発明の光アダプタ用遮光具を光アダプタに取り付けた状態を示す一部省略の斜視図。
【図２】  本発明の遮光具付き光アダプタの実施形態の一例を示す斜視図。
【図３】  規格化された従来の光アダプタを示す斜視図。
【図４】  （ａ）は図３に示す光アダプタの構造の概略を示す一部省略の横断面図、（ｂ）は同縦断面図。
【図５】  （ａ）は従来の遮光具付き光アダプタの一例を示す斜視図、（ｂ）は遮光蓋の動きを示す説明図。
【符号の説明】
１  係止部
２  遮光板
３  スプリング
２０光アダプタ用遮光具
Ａ  光アダプタ
Ｂ  光入力側
Ｃ  光出力側
【図１】
0004283920.tif 000002
【図２】
0004283920.tif 000003
【図３】
0004283920.tif 000004
【図４】
0004283920.tif 000005
【図５】
0004283920.tif 000006